(57)【特許請求の範囲】
【請求項１】
複数のロール紙ホルダを横方向に一体的に並設した横隣設一体化ロール紙ホルダにおいて、前記各ロール紙ホルダ１における側片２に突設したロール紙空心受け３でそれぞれ現用ロール紙４Ａと予備ロール紙４Ｂとを各ロール紙ホルダ１に回転可能に支持し、これら各ロール紙４Ａ、４Ｂの上部前寄り外周面にそれぞれ前記ホルダ１の後部の枢支部５で起伏可能に枢支したロール紙上板６の前辺下部６Ａを対接するとともに、この前辺下部６Ａを経て前方へ繰り出した現用ロール紙４Ａの繰り出し基部４ａを前記上板６の前辺刃先６Ｂでカット可能となし、かつ、前記各ロール紙ホルダ間に下向きカム面７Ａを位置させた蟻溝７Ｂ付きのレール７を各ロール紙ホルダ１の上部を跨いで横設し、前記蟻溝７Ｂに係合させてレール７に横動可能に設けたスライダ８の枢支突片８Ａに目隠しカバー９をその後側枢支突片９Ａでシーソ式に枢支することで、この目隠しカバー９を常にはその自重により前記予備ロール紙４Ｂの前辺に接近させ、また、前記スライダ８の操作による目隠しカバー９の横動途中に、その後端上部９Ｂに加わる前記下向きカム面７Ａによる押し下げ力でシーソ式に上向き回動した目隠しカバー９をその横動終点付近で下向き回動復帰させることで、この復帰した目隠しカバー９により予備ロール紙４Ｂの前辺を隠蔽可能となした横隣設一体化ロール紙ホルダ。
【請求項２】
複数のロール紙ホルダを横方向に一体的に並設した横隣設一体化ロール紙ホルダにおいて、前記各ロール紙ホルダ１における側片２に突設したロール紙空心受け３でそれぞれ現用ロール紙４Ａと予備ロール紙４Ｂとを各ロール紙ホルダ１に回転可能に支持し、これら各ロール紙４Ａ、４Ｂの上部前寄り外周面にそれぞれ前記ホルダ１の後部の枢支部５で起伏可能に枢支したロール紙上板６の前辺下部６Ａを対接するとともに、この前辺下部６Ａを経て前方へ繰り出した現用ロール紙４Ａの繰り出し基部４ａを前記上板６の前辺刃先６Ｂでカット可能となし、かつ、前記各ロール紙ホルダ間に下向きカム面７Ａを位置させた蟻溝７Ｂ付きのレール７を各ロール紙ホルダ１の上部を跨いで横設し、前記蟻溝７Ｂに係合させてレール７に横動可能に設けたスライダ８の枢支突片８Ａに目隠しカバー９をその後側枢支突片９Ａでシーソ式に枢支することで、この目隠しカバー９を常にはその自重により前記予備ロール紙４Ｂの前辺に接近させ、また、前記スライダ８の操作による目隠しカバー９の横動途中には、その後端上部９Ｂを前記下向きカム面７Ａで押し下げて目隠しカバー９をシーソ式に上向き回動させた後、その横動終点付近で目隠しカバー９を下向き回動復帰させることで、この復帰した目隠しカバー９により予備ロール紙４Ｂの前辺を隠蔽可能となした横隣設一体化ロール紙ホルダ。
【請求項３】
三つのロール紙ホルダを平面ほぼ「冊」字状に一体並設した横隣設一体化ロール紙ホルダ１における各側片２に突設したロール紙空心受け３でそれぞれ一つの現用ロール紙４Ａと二つの予備ロール紙４Ｂとを各ロール紙ホルダ１に回転可能に支持し、これら各ロール紙の上部前寄り外周面にそれぞれ前記ホルダ１の後部左右の枢支部５で起伏可能に枢支したロール紙上板６の前辺下部６Ａを対接するとともに、この前辺下部６Ａを経て前方へ繰り出した前記一つの現用ロール紙４Ａの繰り出し基部４ａを前記上板６の前辺刃先６Ｂでカット可能となし、かつ、前記三つのホルダ１の各間にそれぞれ下向きカム面７Ａを位置させた蟻溝７Ｂ付きのレール７を各ロール紙ホルダ１の上部を跨いで横設し、前記蟻溝７Ｂに係合させてレール７に横動可能に設けた二つのスライダ８の各枢支突片８Ａにそれぞれ目隠しカバー９をその後側枢支突片９Ａでシーソ式に枢支することで、これら二つの目隠しカバー９を常にはその自重により前記予備ロール紙４Ｂの前辺に接近させ、また前記二つのスライダ８の各別操作による目隠しカバー９の横動途中にその後端上部９Ｂに加わる前記各下向きカム面７Ａによる押し下げ力でシーソ式に上向き回動した目隠しカバー９をその横動終点付近で下向き回動復帰させることで、この復帰した二つの目隠しカバー９により二つの予備ロール紙４Ｂの前辺を隠蔽可能となした横隣設一体化ロール紙ホルダ。
【請求項４】
前記ロール紙空心受け３として、前記ロール紙ホルダ１における各側片２に突設した複数対の自己対向復帰ロール紙空心受け３を用い、このロール紙空心受け３でそれぞれ現用ロール紙４Ａと予備ロール紙４Ｂとを各ロール紙ホルダ１に回転可能に支持してなる請求項１から請求項３までのいずれか一つの請求項に記載の横隣設一体化ロール紙ホルダ。
【請求項５】
前記ロール紙空心受け３として、前記ロール紙ホルダ１における各側片２の片側面にそれぞれ一本ずつ方持ち枢支突設した複数の丸棒状ロール紙空心受け３にそれぞれの自由端から現用ロール紙４Ａと予備ロール紙４Ｂの各空心４を挿通セットしてこれら各ロール紙４Ａ、４Ｂを各ロール紙ホルダ１に回転可能に支持してなる請求項１から請求項３までのいずれか一つの請求項に記載の横隣設一体化ロール紙ホルダ。
【請求項６】
前記複数のロール紙ホルダ間の側片２を左右共通に兼用してなる請求項１から請求項６までのいずれか一つの請求項に記載の横隣設一体化ロール紙ホルダ。
【請求項７】
前記レール７の上部に飾り上板１０を固定した請求項１から請求項７までのいずれか一つの請求項に記載の横隣設一体化ロール紙ホルダ。
【請求項８】
前記ロール紙上板６の枢支部５付近を水平保持部材でロール紙ホルダ１の後部所定個所に連絡することで、前記上板６をほぼ水平を境として上下方向の所定範囲内で弾力的に起伏可能に枢支してなる請求項１から請求項８までのいずれか一つの請求項に記載の横隣設一体化ロール紙ホルダ。
【発明の詳細な説明】
【０００１】
【発明の属する技術分野】
この発明は、一般人が共用するトイレットやその他の公共施設に設置して好適なロール紙、または、これに近似したロール巻シート状物を保持する複数のロール紙ホルダを横方向に一体的に並設したロール紙ホルダに関し、特に前記複数一体化ロール紙ホルダにそれぞれセットしたロール紙の内、予備ロール紙の前辺を前記ホルダの上面に沿って動く上下回動式の目隠しカバーで隠蔽可能となした横隣設一体化ロール紙ホルダに関する。
【０００２】
【従来の技術】
二つのロール紙ホルダを横方向に一体的に並設した横隣設一体化ロール紙ホルダーとして従来、特開平９−２１５６２８号公報中の図１７，図１９とその説明文記載のもの、および、特開平１０−１２７５２５号公報記載のものとがそれぞれ周知である。
これらの従来例は、ロール紙ホルダにおける側片に複数対の自己対向復帰のロール紙空心受けを枢支し、またはロール紙空心受け用の一本の心棒を前向き回動可能に片持ち枢支横設し、これらの心棒または上記空心受けにその自由端からロール紙の空心を枢支セットして二つのロール紙を各ロール紙ホルダ１に回転可能に支持するとともに、これら各ロール紙の上部斜め前寄り外周面にそれぞれ前記ホルダの後部に枢支したロール紙上板の前辺下部を弾接するとともに、この前辺下部を経た前記二つの各ロール紙の摘み代をそれぞれ二つ共前方へ繰り出してこの繰り出し部を前記上板の前辺刃先でカットできるようにした二つのロール紙ホルダを左右に一体並設した横隣設一体化ロール紙ホルダである。
【０００３】
したがって、これらの各従来例では、二つのロール紙ホルダ内の左右の各ロール紙は二つ共常に使用可能待機の露出状態にあるので初めての使用者は、どちらのロール紙を使用したらよいかという『戸惑い』を生じ易く不便であるし、また、使用者の意のままにどちらのロール紙でも使えてしまうので、二つのロール紙ホルダ部内の各ロール紙が一度に無くなってしまう事態も多発し、いずれにしても使用者にとって大変不便である共に、清掃水の飛び散りなどで上記左右の各ロール紙の露出部分が同時に汚損し易く不衛生で見栄えも悪く、二つとも同時に使い物にならなくなる場合も有るという本質的かつ、大きな問題点が有る。
【０００４】
この発明は、前記従来例における多くの問題点を除去するためになされたもので、その目的とする処は、横隣設一体化ロール紙ホルダの基本動作と見栄えとを損なうことなく、現用ロール紙に隣接した予備ロール紙の前辺を前記ホルダの上面に沿って動く上下回動式の目隠しカバーで隠蔽可能とすることで、現用ロール紙を使い終えるまで予備ロール紙を外乱から保護し、かつ、ロール紙の補充を簡単に実行できるようにすることに有る。
【０００５】
【課題を解決するための手段】
上記した本発明の目的は、複数のロール紙ホルダを横方向に一体的に並設した横隣設一体化ロール紙ホルダを作るに当たり、前記各ロール紙ホルダ間に下向きカム面を位置させた蟻溝付きのレールを各ロール紙ホルダの上部を跨いで横設し、前記蟻溝に係合させて上記レールに横動可能に設けたスライダの枢支部に目隠しカバーをその後側枢支部でシーソ式に枢支することで、この目隠しカバーを常にはその自重により前記予備ロール紙の前辺に接近させ、また、前記スライダの摘み片の操作による目隠しカバーの横動途中に、その後端上部に加わる前記下向きカム面による押し下げ力でシーソ式に上向き回動した目隠しカバーをその横動終点付近で下向き回動復帰させることで、この復帰した目隠しカバーにより予備ロール紙の前辺を隠蔽可能となしたことで達成できた。
【０００６】
【発明の実施の形態】
本発明の実施の形態のうち、先ず、本発明の基本的な形態例を説明する。
本発明の基本的な実施形態は、平面ほぼコ字状の二つのロール紙ホルダ１を図２のように横方向に一体並設して平面形状がほぼＥ字状になるように、プラスチックや金属を成形して作った横隣設一体化ロール紙ホルダ１における中央と左右の各側片２の各対向面には、ロール紙空心受け３を図１のように対向突設するのであるが、図示例では同図１のように二対計四個のロール紙空心受け３を常には、それぞれ各対毎に互いに自己対向復帰するように枢支対設する。
【０００７】
すなわち、これら二対のロール紙空心受け３の対設の仕方は、前記従来例における周知の自己対向復帰対設手段を採用できるが、図示例では、図２のような前記各側片２の下部切欠２Ａ内に平設固定する下板２０に図１、図４のように直立設置するべき図２のようなプラスチック製円筒を縦に二つ割りし枢支筒２Ｂ内に図４のように立設した中軸２Ｃにポリエステル・エラストマーなどの可撓復元性プラスチックで作った撓み板ばね２Ｄの基部を空転しないように枢着するとともに、この板ばね２Ｄを囲み、中空の前記各ロール紙空心受け３をその枢支孔３Ａで図４のように前記枢支筒２Ｂに枢支し、常には、各空心受け３が互いに上記板ばね２Ｄの撓み復帰弾力により自己対向復帰するように図１、図４のように枢支する例を示してある。
【０００８】
次いで、上記二対のロール紙空心受け３の一対ずつでそれぞれ現用ロール紙４Ａと予備ロール紙４Ｂとを図１、図３のように回転可能に枢支して支持するのであるが、このロール紙セット時には、前記ロール紙上板６を開いて各対のロール紙空心受け３，３にそれぞれ一個ずつロール紙を宛がい、前記板ばね２Ｄの撓み弾力による各空心受け３の自己対向復帰力に抗して各空心受け３を奥向き傾動させ、各空心受け３をロール紙空心４の内部に前記自己対向復帰力により入り込ませることで、これら各空心受け３をそれぞれ上記各ロール紙空心４内で互いに対向復帰させ、現用ロール紙４Ａと予備ロール紙４Ｂとをそれぞれ左右二つの隣接ロール紙ホルダ１に図１、図３のように一個ずつ回転可能にセットする。
【０００９】
これら現用ロール紙４Ａと予備ロール紙４Ｂとの上部前寄り外周面にそれぞれ図１、図４のように前記ホルダ１の後部左右の枢支部５で起伏可能に後部を枢支した金属やプラスチック成形のロール紙上板６の前辺下部６Ａを、ばねや自己重力で同図４、図５のように対接するとともに、この前辺下部６Ａを経て使用者等が前方へ繰り出した現用ロール紙４Ａの繰り出し基部４ａを前記上板６の前辺刃先６Ｂでカットできるようにした左右二つのロール紙ホルダからなる図１、図３のような横隣設一体化ロール紙ホルダ１を構成した後、これら各ロール紙ホルダ１の上部を跨いで図１、図５のような中央に偏平Ｖ字状の下向きカム面７Ａを有する蟻溝７Ｂ付きのレール７とレール上板７Ｃを図１のように横設する。
【００１０】
次いで、前記レール蟻溝７Ｂに図１、図４のように係合させてレール７に横動可能に設けたスライダ８の左右枢支突片８Ａの孔またはピンにそれぞれ目隠しカバー９をその後側左右の枢支突片９Ａのピンまたは孔でシーソ回動可能に枢支することで、この目隠しカバー９を常にはその自重により前記予備ロール紙の前辺に上記図４のように接近させ、また前記スライダ摘み片８Ｂを横動操作して目隠しカバー９を横動させる途中には、その後端上部９Ｂを前記下向きカム面７Ａでそれぞれ図７、図９のように押し下げ、目隠しカバー９をその下向き復帰力に抗してシーソ式に一旦上向きに回動させた後、この横動の継続で上記カバー後端上部９Ｂが下向きカム面７Ａから外れた横動終点付近では、目隠しカバー９をその自重によりそれぞれ図４、図８のように下向き回動復帰させてこの目隠しカバー９により予備ロール紙４Ｂまたはロール紙空心４の前辺を図４、図８のように隠蔽できるようにした本発明による横隣設一体化ロール紙ホルダを構成する。
なお、上記各図における符号７Ｃで示す部分は、前記蟻溝７Ｂを形成するためのレール上板であるが、上記蟻溝７Ｂは、レール７だけに形成することもでき、此の場合には、上記レール上板７Ｃは不要となる。
【００１１】
本発明の構成は以上のようなもので、以下その使用動作例につき説明する。
先ず、左右のホルダ１に対して前記のように現用ロール紙４Ａと予備ロール紙４Ｂとを各ロール紙ホルダ１に図１、図５のように回転可能にセットした後、ロール紙上板６を閉じ、かつ、前記目隠しカバー９で予備ロール紙４Ｂを図４のように覆い、現用ロール紙４Ａを予じめ図５のように手前に所望長さだけ引き出してロール紙の最初の摘み代を作っておき、その後ロール紙上板６を図５のように閉じれば、現用ロール紙４Ａの使用状態とすることができる。
【００１２】
この使用状態では、図４のように前記目隠しカバー９で予備ロール紙４Ｂの前辺を隠蔽しているので、図５における現用ロール紙４Ａを使い終えるまで図４のように予備ロール紙４Ｂを外乱から保護することができ、使用者がどちらのロール紙を使用したらよいかという『戸惑い』も生じることもなくなり、また、二つのロール紙ホルダ部内の各ロール紙が一度に無くならないので、使用者にとって大変便利である共に、上記各ロール紙の内、前辺を目隠しカバー９で隠蔽した予備ロール紙４Ｂは、清掃水の飛び散りなどで汚損することもなく安全である。
【００１３】
その後、前記現用ロール紙４Ａを図６のように使い終えたら、図４のように前記予備ロール紙４Ｂ側に有る前記スライダ摘み片８Ｂを現用ロール紙４Ａの空心４の方向に手指で横動させれば、目隠しカバー９も図８のように上記空心側へ横動させることができるのであるが、この横動途中には、目隠しカバー９の後端上部９Ｂを前記下向きカム面７Ａでカバー９の下向き回動復帰力に抗して図７のように押し下げるため、目隠しカバー９はシーソ式に同図７、図１のように一旦上向き回動した後、その横動終点付近でカバー９の後端上部９Ｂが下向きカム面７Ａから外れると、目隠しカバー９が図８のように下向き回動復帰するので、この目隠しカバー９で上記空心４の前辺を同図８のように隠蔽することができるとともに、予備ロール紙４Ｂの前辺は図５のように露出状態になるから、今度は、この予備ロール紙４Ｂを第二回目の現用ロール紙４Ａとして使用できる。
【００１４】
この使用中に前記空心４を取り除き、新しい予備ロール紙４Ｂをホルダ１にセットするには、図８のように空心４側に有る目隠しカバー９をスライダ摘み片８Ｂを持って横動し、ロール紙空心４の前辺を図６のようにオープン状態とする必要が有るが、この横動途中には、目隠しカバー９の下向き回動復帰力に抗してその後端上部９Ｂを前記下向きカム面７Ａで図９のように押し下げるため、目隠しカバー９はシーソ式に同図９および前記図１のように自動的に上向き回動して前記第二回目の現用ロール紙４Ａの側面には図７のように当たることなく、しかも、現用ロール紙外面を擦過することなくスムーズに通過させることができ、この通過後における目隠しカバー９の横動終点付近でカバー９の後端上部９Ｂが下向きカム面７Ａから外れると目隠しカバー９が第二回目の現用ロール紙４Ａ側で図４のように下向き回動復帰するとともに、上記空心４の前辺は図６のように露出状態になる。
【００１５】
この状態で、前記ロール紙上板６を開いた後、ロール紙空心受け３を前記復帰弾力に抗しロール紙空心４で前向き回動させロール紙空心４を取り外し、対向復帰したロール紙空心受け３に新しい現用ロール紙４Ａまたは予備ロール紙４Ｂを宛がい、ロール紙空心受け３を前記復帰弾力に抗し奥向き傾動後対向復帰させることで、ロール紙空心受け３に新しいロール紙を前記のように枢支セットした後、ロール紙上板６をロール紙４の上部に被せ、このまま上記新しい予備ロール紙４Ｂを第三回目の現用ロール紙４Ａとして使用してもよいが、前記使いかけの第二回目現用ロール紙４Ａを再び使用するには、これを覆っている前記目隠しカバー９を上記新しい予備ロール紙４Ｂ側へ前記の横動要領で横動させてこれを隠蔽することで、図３、図５のような第二回目現用ロール紙４Ａの使用形態を採ることができ、この横動の際にも目隠しカバー９はシーソ式に図１、図９のように自動的に一旦上向き回動しつつ横動し、新しい予備ロール紙４Ｂの外面には当たることなく、ロール紙外面をスムーズに通過させることができる。
【００１６】
このようにして、現用ロール紙４Ａと予備ロール紙４Ｂとを共に使い終えたときに新しいロール紙をホルダ１にセットするには、目隠しカバー９をロール紙空心４の前から隣に横動し、ロール紙空心４の前辺を図６のようにオープン状態とし、ロール紙空心４を取り外した後、新しい現用ロール紙４Ａおよび予備ロール紙４Ｂを前記のように次々に枢支セットすることができ、その後ロール紙上板６を各ロール紙の上部に被せることで、図３、図５のような次の使用形態を採ることができ、この際にも目隠しカバー９は、その横動途中でシーソ式に図１、図７および図９のようにそれぞれ自動的に上向き回動して隣接ロール紙の外面には図７のように当たることなく、隣接ロール紙外面をスムーズに通過させることができる。
【００１７】
【実施例】
以上の説明では、二つのロール紙ホルダを平面ほぼＥ字状に一体並設した横隣設一体化ロール紙ホルダの例について述べたが、本発明は、三つのロール紙ホルダを平面ほぼ「冊」字状に一体並設した横隣設一体化ロール紙ホルダ間に下向きカム面７Ａを一つずつ位置させた蟻溝７Ｂ付きのレール７を各ロール紙ホルダ１の上部を跨いで横設し、前記蟻溝７Ｂに係合させてレール７に横動可能に設けた二つのスライダ８の各枢支突片８Ａにそれぞれ目隠しカバー９をその後側枢支突片９Ａでシーソ式に枢支することで、二つの目隠しカバー９を常には二つのロール紙の前辺に接近させ、また、前記二つのスライダ摘み片８Ｂの各別操作による二つの目隠しカバー９の個別横動途中に、その後端上部９Ｂに加わる前記各下向きカム面７Ａによる押し下げ力でシーソ式に上向き回動した二つの目隠しカバー９をその横動終点付近で下向き回動復帰させることで、この復帰した二つの目隠しカバー９により二つの予備ロール紙４Ｂの前辺を隠蔽可能となしてもよい。
【００１８】
前記ロール紙空心受け３には、各側片２の対向面に設けた枢支孔に係合させる自己突出の枢軸を有する周知の心棒状ロール紙空心受けを用いてもよく、また、ロール紙ホルダ１における各側片２の片側面にそれぞれ周知の復帰手段や適度の摩擦を保ち方持ち枢支突設した心棒棒状ロール紙空心受け３にその自由端から各ロール紙の空心をセットしてこれらロール紙を各ロール紙ホルダ１に回転可能に支持することもできる。
また、前記ロール紙上板６は、その自重でロール紙４の前側上面に弾接するようにしてもよいが、ロール紙上板６の枢支部５付近をバネ（図示せず）など水平保持部材でロール紙ホルダ１の後部に連絡することで、上記ロール紙上板６を水平を境として上下に弾力的に起伏するようにしてもよく、このようにすると、ロール紙空心４の前記取り除きや、新しいロール紙のセットに当たり、ロール紙上板６が邪魔にならず便利となった。
【００１９】
【発明の効果】
本発明は、以上のような形態を採用したので、以下に記載の効果を奏する。
本発明における請求項１から請求項５までの各発明によれば、複数のロール紙ホルダを横方向に一体的に並設した横隣設一体化ロール紙ホルダ間に下向きカム面７Ａを位置させた蟻溝７Ｂ付きのレール７を各ロール紙ホルダ１の上部を跨いで横設し、前記蟻溝７Ｂに係合させてレール７に横動可能に設けたスライダ８の枢支突片８Ａに目隠しカバー９をその後側枢支突片９Ａでシーソ式に枢支し、この目隠しカバー９を常にはその自重により前記予備ロール紙４Ｂの前辺に接近可能となしたので、前記スライダ操作による目隠しカバー９の横動途中には、その下向き回動復帰力に抗してカバー後端上部９Ｂを前記下向きカム面７Ａで押し下げ、目隠しカバー９をシーソ式に自動的に上向き回動させながら横動させることができるから、このカバー９を隣設ロール紙の側面に当てずに、しかも、その外面を擦過することなくスムーズに通過させることができる。
【００２０】
したがって、本発明における請求項１から請求項５までの各発明によれば、前記スライダ８を無造作に横動させるだけの操作で、隣設ロール紙の有無に拘わらず、常に軽快に目隠しカバー９を横動させることができ、また、目隠しカバー９の横動終点付近では、カバー後端上部９Ｂを下向きカム面７Ａから外すことで、目隠しカバー９を上記隣設ロール紙側で下向き回動復帰させ、この復帰した目隠しカバー９により、予備ロール紙４Ｂの前辺を確実に隠蔽することができるから、横隣設一体化ロール紙ホルダの基本動作と見栄えとを損なうことなく、現用ロール紙４Ａを使い終えるまで予備ロール紙４Ｂを外乱から保護でき、かつ、ロール紙の補充を簡単に実行できるという多くの効果が有る。
【００２１】
また、本発明における請求項６の発明によれば、前記諸効果に加え、前記複数のロール紙ホルダ間の側片２を左右共通に兼用したので、より一層小型軽量かつ、安価に実施できるという効果を付加できた。
【００２２】
本発明における請求項７の発明によれば、前記諸効果に加え、前記レール７の上部を飾り上板１０で覆ったので、一般共用トイレットとか、その他の公共施設に設置して見栄えが良く、飾り上板１０を携行品載置用の棚板として兼用できるという効果を付加できた。
【００２３】
また、本発明における請求項８の発明のように、前記ロール紙上板６の枢支部５付近を水平保持部材でロール紙ホルダ１の後部所定個所に連絡することで、前記ロール紙上板６をほぼ水平を境として上下方向の所定範囲内で弾力的に起伏可能に枢支できたので、ロール紙ホルダ１への各ロール紙４Ａ、４Ｂの補充や交換がより一層簡便になった。
【図面の簡単な説明】
【図１】本発明によるロール紙ホルダの概略を示す要部切欠の斜視図
【図２】本発明によるロール紙ホルダの分解例を示す個片的斜視図
【図３】本発明によるロール紙ホルダの外観形態例を示す縦断側面図
【図４】本発明によるロール紙ホルダの一例を示す縦断側面図
【図５】図４に示すものと状態を異にしたロール紙ホルダの縦断側面図
【図６】本発明における空心状態のロール紙ホルダの一例を示す縦断側面図
【図７】本発明における目隠しカバーの横動途中の一例を示す縦断側面図
【図８】図６に示すものと状態を異にしたロール紙ホルダの縦断側面図
【図９】本発明における目隠しカバーの横動途中の一例を示す縦断側面図
【符号の説明】
１    ロール紙ホルダ
２    ロール紙ホルダの側片
２０  側片下板
２Ａ  側片下部の切欠
２Ｂ  ロール紙空心受け枢支筒
３    ロール紙空心受け
３Ａ  ロール紙空心受けの枢支孔
４    ロール紙空心
４Ａ  現用ロール紙
４Ｂ  予備ロール紙
４ａ  ロール紙の繰り出し基部
５    ロール紙上板の枢支部
６    ロール紙上板
６Ａ  ロール紙上板の前辺下部
６Ｂ  ロール紙上板の前辺刃先
７    レール
７Ａ  レールの下向きカム面
７Ｂ  レールの蟻溝
７Ｃ  レール上板
８    スライダ
８Ａ  スライダ枢支突片
８Ｂ  スライダ摘み片
９    目隠しカバー
９Ａ  目隠しカバーの枢支突片
９Ｂ  目隠しカバーの後端上部
１０  飾り上板
【図１】
0004175023.tif 000002
【図２】
0004175023.tif 000003
【図３】
0004175023.tif 000004
【図４】
0004175023.tif 000005
【図５】
0004175023.tif 000006
【図６】
0004175023.tif 000007
【図７】
0004175023.tif 000008
【図８】
0004175023.tif 000009
【図９】
0004175023.tif 000010